(57)【要約】【課題】室内機パネルを取り外す際の作業性を損なうことなく、フック部材と係合ピンとの係合時に室内機パネルの落下を確実に防止する空気調和装置の室内機パネルの落下防止構造を得る。【解決手段】化粧パネル１２の開口部に開閉自在に設けられた室内機パネル１４と、室内機パネル１４の短手方向他側端を開口部周縁の係合ピン２１に対し係脱自在に係止する係止部１９と、室内機パネル１４の短手方向一側端に設けられ、係止部１９の係止が解除された際に係合ピン２１に対する係合を室内機パネル１４の取り外し時の動作に伴う解除方向への挙動によって解除するフック部材２２と、フック部材２２の係合ピン２１に対する解除方向への挙動を制限する制限位置とフック部材２２の係合ピン２１に対する解除方向への挙動を許容する許容位置とに変換されるロック金具２４と、ロック金具２４を人為的な操作の非実行時に常時制限位置に保持する保持手段２６とを備える。【選択図】図２
2014163619.tif 000002
【特許請求の範囲】
【請求項１】
天井に設置された室内機の下面に設けられ、吹出口及び吸込口を有する化粧パネルと、
前記化粧パネルに開口する開口部に開閉自在に設けられ、メンテナンス時に周縁部の一側を支点にして下方へ開放する室内機パネルと、
前記室内機パネルの周縁部の他側に設けられ、前記開口部の周縁に対し係脱自在に係止する係止部と、
前記室内機パネルの周縁部の一側に設けられ、前記開口部の周縁に設けられたピン部材に対し回転自在に係合する一方で前記開口部の周縁に対する前記係止部の係止が解除された際に前記係合ピンに対する係合を前記室内機パネルの取り外し時の動作に伴う解除方向への挙動によって解除するフック部材と、
前記フック部材の先端に回転自在に設けられ、当該フック部材の前記ピン部材に対する解除方向への挙動を制限する制限位置と前記フック部材の前記ピン部材に対する解除方向への挙動を許容する許容位置とに変換されるロック金具と、
前記ロック金具に設けられ、当該ロック金具を人為的な操作の非実行時に常時制限位置に保持する保持手段と、
を備えていることを特徴とする空気調和装置における室内機パネルの落下防止構造。
【請求項２】
前記フック部材は、前記室内機パネルの周縁部の一側端より上方へ突出する突出端から他側に向かって延びて前記ピン部材に対し係合する鉤状部を備えているとともに、
前記保持手段は、前記ロック金具の回転中心を当該ロック金具の重心から偏心させる錘と、前記ロック金具が前記錘により回転方向一側へ回転した際に当接して当該ロック金具を制限位置に保持する一方前記ロック金具を人為的な操作の実行により回転方向他側へ回転させた際に当接して当該ロック金具を前記錘により許容位置に保持する当接片と、を備えている請求項１に記載の空気調和装置における室内機パネルの落下防止構造。
【請求項３】
前記ロック金具は、前記フック部材を前記ピン部材に対して解除方向へ挙動させる際に許容位置において前記ピン部材を案内して前記鉤状部の先端より離脱させる案内面を有し、この案内面で案内される前記ピン部材との当接により回転方向一側へ回転して制限位置に変換される請求項２に記載の空気調和装置における室内機パネルの落下防止構造。
【請求項４】
前記ロック金具は、前記ピン部材に対し前記フック部材を離脱させた状態から係合させる際に前記ピン部材との当接により制限位置から回転方向他側へ回転して当該ピン部材に対する前記フック部材の係合を完了したときに前記錘により回転方向一側へ回転して再度制限位置に戻されるように構成されている請求項２又は請求項３に記載の空気調和装置における室内機パネルの落下防止構造。
【請求項５】
前記ロック金具は、前記開口部の周縁に対し前記係止部が係止された際に制限位置において前記ピン部材を保持する段部を備えている請求項１〜請求項４のいずれか１つに記載の空気調和装置における室内機パネルの落下防止構造。
【請求項６】
前記フック部材及び前記ピン部材は、前記室内機パネルの周縁部の一側の複数箇所に設けられ、
前記ロック金具及び前記保持手段は、前記各フック部材のうちの少なくとも１つに設けられている請求項１〜請求項５のいずれか１つに記載の空気調和装置における室内機パネルの落下防止構造。
【発明の詳細な説明】
【技術分野】
【０００１】
この発明は、空気調和装置における室内機パネルの落下防止構造に関するものである。
【背景技術】
【０００２】
空気調和装置の室内機は、天井に設置され、その下面に吹出口及び吸込口を有する化粧パネルを備えたものがある（例えば特許文献１参照）。化粧パネルには、室内機の点検やメンテナンスを行うための開口部が設けられ、この開口部には、開閉自在な室内機パネルが設けられている。
【０００３】
室内機パネルは、主にフィルターをメンテナンスする際に開閉されることが多く、工具を必要とせずに容易に開閉させることができる構造となっている。例えば、周縁部の一側を支点にして下方へ開放する室内機パネルがある。このものでは、開口部の周縁に対し係脱自在に係止する係止部を室内機パネルの周縁部の他側に設ける一方、室内機パネルの周縁部の一側に、開口部の周縁に設けられたピン部材に対し回転自在に係合するフック部材を設けている。
【先行技術文献】
【特許文献】
【０００４】
【特許文献１】特開２００９−２１６３８４号公報
【発明の概要】
【発明が解決しようとする課題】
【０００５】
ところが、フック部材がピン部材に対し単に係合しているだけでは、地震やメンテナンス時に不慮の外力が作用すると、両者の係合が簡単に解除され、室内機パネルが落下するおそれがある。これは、周縁部の他側での係止部による係止が同時に行われている室内機パネルの閉塞状態であっても、同様に危惧される。
【０００６】
この発明は室内機パネルを取り外す際の作業性を損なうことなく、フック部材とピン部材との係合時に室内機パネルの落下を確実に防止することができる空気調和装置の室内機パネルの落下防止構造を得ることを目的とする。
【課題を解決するための手段】
【０００７】
この発明による空気調和装置の室内機パネルの落下防止構造は、天井に設置された室内機の下面に設けられ、吹出口及び吸込口を有する化粧パネルと、前記化粧パネルに開口する開口部に開閉自在に設けられ、メンテナンス時に周縁部の一側を支点にして下方へ開放する室内機パネルと、前記室内機パネルの周縁部の他側に設けられ、前記開口部の周縁に対し係脱自在に係止する係止部と、前記室内機パネルの周縁部の一側に設けられ、前記開口部の周縁に設けられたピン部材に対し回転自在に係合する一方で前記開口部の周縁に対する前記係止部の係止が解除された際に前記係合ピンに対する係合を前記室内機パネルの取り外し時の動作に伴う解除方向への挙動によって解除するフック部材と、前記フック部材の先端に回転自在に設けられ、当該フック部材の前記ピン部材に対する解除方向への挙動を制限する制限位置と前記フック部材の前記ピン部材に対する解除方向への挙動を許容する許容位置とに変換されるロック金具と、前記ロック金具に設けられ、当該ロック金具を人為的な操作の非実行時に常時制限位置に保持する保持手段と、を備えることを特徴とするものである。
【発明の効果】
【０００８】
この発明によれば、フック部材の先端に設けたロック金具を、保持手段により制限位置に保持してフック部材のピン部材に対する解除方向への挙動を制限することで、フック部材とピン部材との係合時に室内機パネルの落下を確実に防止することができる。しかも、ロック金具を人為的な操作の実行により許容位置に変換しさえすれば、フック部材のピン部材に対する解除方向への挙動が許容され、室内機パネルを取り外す際の作業性を損なうことがない。
【図面の簡単な説明】
【０００９】
【図１】この発明の実施の形態に係る室内機パネルの落下防止構造を用いた空気調和装置を斜め下方から視た斜視図である。
【図２】図１の室内機パネルを閉塞した状態での側面図である。
【図３】図２の室内機パネルの短手方向一側付近の拡大側面図である。
【図４】図１の室内機パネルの短手方向一側付近においてロック金具を制限位置に変換した状態での斜視図である。
【図５】図４のロック金具を許容位置に変換した状態での斜視図である。
【図６】図２の室内機パネルの短手方向他側端を上方へ持ち上げて係止部による係止を解除する解除動作を開始し始めた状態を示す室内機パネルの側面図である。
【図７】図６の室内機パネルの短手方向他側端を短手方向一側へ移動させて係止部による係止の解除を完了した状態を示す室内機パネルの側面図である。
【図８】図７の室内機パネルの短手方向一側端を支点にして室内機パネルを開放させた状態を示す室内機パネルの側面図である。
【図９】図８の室内機パネルの短手方向一側端のロック金具を許容位置に変換させる操作手順を示し、（ａ）はロック金具が制限位置に保持されている状態を示す室内機パネルの短手方向一側の側面図、（ｂ）はロック金具を回転方向他側へ回転させる経過状態を示す室内機パネルの短手方向一側の側面図、（ｃ）はロック金具を許容位置まで回転させた状態を示す室内機パネルの短手方向一側の側面図をそれぞれ示している。
【図１０】図９の（ｃ）の室内機パネルを取り外すに当たってフック部材のピン部材に対する解除方向への挙動を開始し始めた状態を示す室内機パネルの側面図である。
【図１１】図１０の室内機パネルの短手方向一側付近の斜視図である。
【図１２】図１０のフック部材のピン部材に対する解除方向への挙動の経過状態を示す室内機パネルの側面図である。
【図１３】図１２のフック部材のピン部材に対する解除方向への挙動を終えた離脱完了状態を示す室内機パネルの側面図である。
【図１４】図１３の室内機パネルを取り付けるに当たってフック部材のピン部材に対する係合方向への挙動を開始し始めた状態を示す室内機パネルの側面図である。
【図１５】図１４の室内機パネルの短手方向一側付近の斜視図である。
【図１６】図１４のフック部材のピン部材に対する係合方向への挙動の経過状態を示す室内機パネルの側面図である。
【図１７】図１６のフック部材のピン部材に対する係合方向への挙動を終えた係合完了状態を示す室内機パネルの側面図である。
【図１８】図１７の室内機パネルの短手方向他側端を上方へ持ち上げて係止部により係止する係止動作を開始し始めた状態を示す室内機パネルの側面図である。
【図１９】図１８の室内機パネルの短手方向他側端を短手方向他側へ移動させて係止部により係止する係止動作の経過状態を示す室内機パネルの側面図である。
【図２０】図１９の室内機パネルの短手方向他側端を下方へ移動させて係止部による係止を完了した状態を示す室内機パネルの側面図である。
【発明を実施するための形態】
【００１０】
以下、この発明の実施の形態を図面に基づいて説明する。
【００１１】
実施の形態１．
図１はこの発明の実施の形態に係る室内機パネルの落下防止構造を用いた空気調和装置を斜め下方から視た斜視図を示している。本実施の形態に係る空気調和装置は、室内機と室外機とを有する空気調和システムの室内機に相当し、本体部分が天井部に埋設された天吊りタイプのものが適用される。
【００１２】
図１において、空気調和装置１は、本体部分１０が天井部に埋設され、その本体部分１０の下面が天井面と略一致する高さとなっている。本体部分１０の下面には、周縁部の短手方向一側端及び短手方向他側端に吹出口１１を有する略矩形状の化粧パネル１２が取り付けられている。化粧パネル１２は、その中央部に略矩形状の開口部１３を有して枠体状に形成されている。化粧パネル１２には、開口部１３を開閉する略矩形状の室内機パネル１４が設けられている。室内機パネル１４は、開口部１３に対応する本体部分１０に設けられたフィルター１５をメンテナンスする際に周縁部の短手方向一側を支点にして下方へ開放する。
【００１３】
図２は室内機パネル１４の閉塞状態での側面図を示している。この図２において、開口部１３の周縁には、その長手方向両端同士を短手方向一側から他側に連結する開口パネルフレーム１６が設けられ、各開口パネルフレーム１６の他側端にそれぞれ係止ピン１７が突設されている。室内機パネル１４の周縁部にも、その長手方向両端同士を短手方向一側から他側に連結する室内機パネルフレーム１８が設けられている。この各室内機パネルフレーム１８の他側端には、各係止ピン１７に対し係脱自在に係止する係止部１９がそれぞれ設けられている。係止部１９は、各室内機パネルフレーム１８の他側端より上方へ突出し、その突出端より一側から下方へ鉤状に湾曲して各係止ピン１７に対し下方を除く周囲から係止される鉤状部２０を有している。
【００１４】
図３は室内機パネル１４の短手方向一側付近の拡大側面図、図４は室内機パネル１４の短手方向一側付近においてロック金具を制限位置に変換した状態での斜視図、図５はロック金具を許容位置に変換した状態での斜視図をそれぞれ示している。図３〜図５において、各開口パネルフレーム１６の一側端には、それぞれピン部材としての係合ピン２１（図３〜図５では一方のみ示す）が突設されている。各室内機パネルフレーム１８の一側端には、各係合ピン２１に対し係脱自在に係合するフック部材２２がそれぞれ設けられている。各フック部材２２は、各室内機パネルフレーム１８の一側端より上方へ突出し、その突出端から他側へ向かって略水平に延びて係合ピン２１に対し係合する鉤状部２３を有している。各フック部材２２は、鉤状部２３の内側面とこれと対向する室内機パネルフレーム１８の対向面との間に係合ピン２１に対し上方から摺接して係合する。この場合、各係合ピン２１に対するフック部材２２の係脱は、各室内機パネルフレーム１８の他側端での係止ピン１７に対する係止部１９の鉤状部２０の係止が解除された際に行われる。
【００１５】
各フック部材２２の鉤状部２３の先端には、ロック金具２４がそれぞれ設けられている。各ロック金具２４の長手方向略中間位置は、鉤状部２３の先端にピン２５を介して回転自在に支持されている。各ロック金具２４は、ピン２５回りに回転して、フック部材２２の係合ピン２１に対する解除方向への挙動（後述する）を制限する制限位置（図３及び図４に示す位置）とフック部材２２の係合ピン２１に対する解除方向への挙動を許容する許容位置（図５に示す位置）とに変換される。この場合、フック部材２２の係合ピン２１に対する解除方向への挙動とは、室内機パネル１４を取り外す際の動作に伴い鉤状部２３の先端から係合ピン２１を離脱させる方向へフック部材２２を移動させて、係合ピン２１に対する係合を解除しようとする動きのことである。
【００１６】
ロック金具２４には、当該ロック金具２４を常時制限位置に保持する保持手段２６が設けられている。保持手段２６は、ロック金具２４の長手方向一側端に屈曲により一体的に設けられた錘２７と、ロック金具２４の回転軌跡上に位置する室内機パネルフレーム１８に設けられ、錘２７が当接してロック金具２４の回転を規制する当接片２８と、を備えている。錘２７は、ロック金具２４の長手方向一側端を屈曲させて長手方向一側での重量を増大させるものであり、ロック金具２４の回転中心を当該ロック金具２４の重心から偏心させている。当接片２８は、ロック金具２４が錘２７により回転方向一側（図３〜図５では反時計回り）へ回転した際に錘２７が当接して当該ロック金具２４を制限位置に保持する。一方、当接片２８は、ロック金具２４を人為的な操作の実行により回転方向他側（図３〜図５では時計回り）へ回転させた際に長手方向他側端が当接して当該ロック金具２４を錘２７により許容位置に保持する。つまり、当接片２８は、ロック金具２４を許容位置まで回転方向他側へ回転させる人為的な操作を行わない非実行時に、ロック金具２４を錘２７によって常時制限位置に保持している。
【００１７】
ロック金具２４は、フック部材２２を係合ピン２１に対して解除方向へ挙動させる際に許容位置において係合ピン２１を案内して鉤状部２３の先端より離脱させる案内面３０を備えている。そして、ロック金具２４は、案内面３０で案内される係合ピン２１によって回転方向一側へ回転し、錘２７によって制限位置に変換される。また、ロック金具２４は、係合ピン２１に対しフック部材２２を離脱させた状態から係合させる際に係合ピン２１との当接により制限位置から回転方向他側へ回転して係合ピン２１に対するフック部材２２の係合を完了したときに錘２７により回転方向一側へ回転して再度制限位置に戻される。ロック金具２４は、室内機パネルフレーム１８の他側端の係止ピン１７に対し係止部１９の鉤状部２０が係止された際に制限位置において係合ピン２１を保持する段部３１を備えている。
【００１８】
次に、室内機パネル１４を取り外す場合の手順について説明する。
【００１９】
図６は室内機パネル１４の短手方向他側端を上方へ持ち上げて係止部１９による係止を解除する解除動作を開始し始めた状態を示す室内機パネル１４の側面図、図７は室内機パネル１４の短手方向他側端を短手方向一側へ移動させて係止部１９による係止の解除を完了した状態を示す室内機パネル１４の側面図をそれぞれ示している。また、図８は室内機パネル１４の短手方向一側端を支点にして室内機パネル１４を開放させた状態を示す室内機パネル１４の側面図、図９は室内機パネル１４の短手方向一側端のロック金具２４を許容位置に変換させる操作手順をそれぞれ示している。更に、図１０は室内機パネル１４を取り外すに当たってフック部材２２の係合ピン２１に対する解除方向への挙動を開始し始めた状態を示す室内機パネル１４の側面図、図１１は図１０の室内機パネル１４の短手方向一側付近の斜視図をそれぞれ示している。加えて、図１２はフック部材２２の係合ピン２１に対する解除方向への挙動の経過状態を示す室内機パネル１４の側面図、図１３はフック部材２２の係合ピン２１に対する解除方向への挙動を終えた離脱完了状態を示す室内機パネル１４の側面図をそれぞれ示している。
【００２０】
まず、図６に示すように、室内機パネル１４の短手方向他側端を上方へ持ち上げて係止ピン１７に対する係止部１９の鉤状部２０の係止を解除する解除動作を開始し始める。次いで、図７に示すように、室内機パネル１４の短手方向他側端を短手方向一側へ移動させて係止ピン１７に対する係止部１９の鉤状部２０の係止の解除を完了する。その後、図８に示すように、短手方向一側端を支点にして室内機パネル１４を下方へ開放する。
【００２１】
それから、ロック金具２４を、作業者自らの手により、図９の（ａ）に示す制限位置から、図９の（ｂ）に示すように、ピン２５回りに回転方向他側（図９では時計回り）へ人為的な操作の実行により回転させる。そして、図９の（ｃ）に示すように、ロック金具２４の長手方向他側端が当接片２８に当接すると、その時点で、錘２７がピン２５の回転中心を超えているため、この錘２７によってロック金具２４が許容位置に保持される。
【００２２】
その後、図１０及び図１１に示すように、室内機パネル１４を取り外すに当たってフック部材２２の係合ピン２１に対する解除方向への挙動を開始する。
具体的には、室内機パネル１４の短手方向一側を斜め上方へ移動させて当該室内機パネル１４を取り外す際の動作を行うと、この室内機パネル１４の動作に伴い鉤状部２３の先端から係合ピン２１を離脱させる方向（斜め上方）へフック部材２２が移動する。そして、図１２に示すように、ロック金具２４は、許容位置において係合ピン２１を案内面３０により案内して鉤状部２３の先端より離脱させ、図１３に示すように、室内機パネル１４の取り外しを完了させる。このとき、ロック金具２４は、案内面３０で案内した係合ピン２１によって回転方向一側へ回転した際に錘２７がピン２５の回転中心を超えるため、当該錘２７によって制限位置に変換される。
【００２３】
次に、室内機パネル１４を取り付ける場合の手順について説明する。
【００２４】
図１４は室内機パネル１４を取り付けるに当たってフック部材２２の係合ピン２１に対する係合方向への挙動を開始し始めた状態を示す室内機パネル１４の側面図、図１５は図１４の室内機パネル１４の短手方向一側付近の斜視図、図１６はフック部材２２の係合ピン２１に対する係合方向への挙動の経過状態を示す室内機パネル１４の側面図をそれぞれ示している。また、図１７はフック部材２２の係合ピン２１に対する係合方向への挙動を終えた係合完了状態を示す室内機パネル１４の側面図、図１８は短手方向他側端を上方へ持ち上げて係止部１９により係止する係止動作を開始し始めた状態を示す室内機パネル１４の側面図をそれぞれ示している。更に、図１９は短手方向他側端を短手方向他側へ移動させて係止部１９により係止する係止動作の経過状態を示す室内機パネル１４の側面図、図２０は短手方向他側端を下方へ移動させて係止部１９による係止を完了した状態を示す室内機パネル１４の側面図をそれぞれ示している。
【００２５】
まず、図１３に示すように、室内機パネル１４を取り外し完了状態に位置付けてから、図１４に示すように、室内機パネル１４を取り付けるに当たってフック部材２２の係合ピン２１に対する係合方向への挙動を開始する。
具体的には、室内機パネル１４を取り外し完了状態から短手方向他側に向かって斜め下方へ移動させて取り付ける際の動作を行うと、この室内機パネル１４の動作に伴い鉤状部２３の先端から係合ピン２１を係合させる方向（斜め下方）へフック部材２２が移動する。このとき、図１５にも示すように、ロック金具２４は、係合ピン２１に押されて回転方向他側（図１４及び図１５では時計回り）へ回転する。
【００２６】
その後、図１６に示すように、係合ピン２１がフック部材２２の基端まで案内されると、係合ピン２１がロック金具２４から離れ、図１７に示すように、フック部材２２の係合ピン２１に対する係合方向への挙動を終えて係合を完了した状態となる。このとき、ロック金具２４は、係合ピン２１と離れた際に錘２７がピン２５の回転中心を超えないため、当該錘２７によって回転方向一側へ回転し、再度制限位置に戻される。
【００２７】
それから、図１８に示すように、室内機パネル１４の短手方向他側端を上方へ持ち上げて係止ピン１７に対する係止部１９の鉤状部２０の係止動作を開始し始める。次いで、図９に示すように、室内機パネル１４の短手方向他側端を短手方向一側へ移動させ、係止ピン１７を室内機パネルフレーム１８の他側端に当接させて係止部１９の直下方に位置付ける。その後、図２０に示すように、室内機パネル１４の短手方向他側端を自重により下方へ移動させ、係止ピン１７に対し係止部１９の鉤状部２０を係止し、室内機パネル１４の取り付けを完了する。このとき、ロック金具２４は、開口パネルフレーム１６の係合ピン２１が段部３１に保持されているとともに、室内機パネルフレーム１８の当接片２８に錘２７が当接して、制限位置に拘束される。
【００２８】
したがって、本実施の形態では、フック部材２２の先端に設けたロック金具２４を、保持手段２６により制限位置に保持してフック部材２２の係合ピン２１に対する解除方向への挙動を制限することで、フック部材２２と係合ピン２１との係合時に室内機パネル１４の落下を確実に防止することができる。しかも、ロック金具２４を人為的な操作の実行により許容位置に変換しさえすれば、フック部材２２の係合ピン２１に対する解除方向への挙動が許容され、室内機パネル１４を取り外す際の作業性を損なうことがない。
【００２９】
なお、本実施の形態では、各室内機パネルフレーム１８の他側端のフック部材２２にそれぞれロック金具２４及び保持手段２６を設けたが、各フック部材のうちのいずれか一方にのみロック金具及び保持手段が設けられていてもよい。
【符号の説明】
【００３０】
１１      吹出口
１２      化粧パネル
１３      開口部
１４      室内機パネル
１９      係止部
２１      係合ピン（ピン部材）
２２      フック部材
２３      鉤状部
２４      ロック金具
２６      保持手段
２７      錘
２８      当接片
３０      案内面
３１      段部
【図１】
2014163619.tif 000003
【図２】
2014163619.tif 000004
【図３】
2014163619.tif 000005
【図４】
2014163619.tif 000006
【図５】
2014163619.tif 000007
【図６】
2014163619.tif 000008
【図７】
2014163619.tif 000009
【図８】
2014163619.tif 000010
【図９】
2014163619.tif 000011
【図１０】
2014163619.tif 000012
【図１１】
2014163619.tif 000013
【図１２】
2014163619.tif 000014
【図１３】
2014163619.tif 000015
【図１４】
2014163619.tif 000016
【図１５】
2014163619.tif 000017
【図１６】
2014163619.tif 000018
【図１７】
2014163619.tif 000019
【図１８】
2014163619.tif 000020
【図１９】
2014163619.tif 000021
【図２０】
2014163619.tif 000022